(57)【特許請求の範囲】
【請求項１】
固体レンズを含むホルダーと、
前記ホルダーと結合する液体レンズと、
前記液体レンズに連結され、第１端子及び第２端子を含む第１基板と、
前記第１基板に連結される第２基板と、
液体レンズに対応する位置の前記第２基板上に配置されるイメージセンサーとを含み、
前記液体レンズは、
伝導性液体及び非伝導性液体が配置されるキャビティを含む第１プレートと、
前記第１プレート上に配置される第１電極と、
前記第１プレートの下に配置され、複数の電極セクターを含む第２電極と、
前記第１電極上に配置される第２プレートと、
前記第２電極の下に配置される第３プレートとを含み、
前記第１基板は前記第２電極の電極セクターと前記第２基板を連結し、
前記第１端子は複数で前記第２基板に連結され、前記第２端子は複数で複数の第２電極セクターに連結され、
前記第１端子から入力された電圧を用いて追加電圧を生成して第２端子に出力する追加電圧生成回路を含み、
前記第２電極の電極セクターの個数は前記第１端子の個数より多い、カメラモジュール。
【請求項２】
前記第１電極の電極セクターは一つであり、前記第２電極の電極セクターは８個以上であり、第２基板に連結される第１基板の端子は４個である、請求項１に記載のカメラモジュール。
【請求項３】
前記第２電極の８個以上の電極セクターは、
直交する４方向に駆動電圧を供給するための４個の電極を含む第１グループと、
前記第１グループの４個の電極の間ごとに一つずつ配置される４個の電極を含む第２グループとを含む、請求項２に記載のカメラモジュール。
【請求項４】
前記第２グループの各電極セクターに印加される駆動電圧は前記第２グループの各電極セクターに隣接した前記第１グループの二つの電極セクターに印加される駆動電圧の平均である、請求項３に記載のカメラモジュール。
【請求項５】
前記８個以上の電極セクターは４個の電極を一グループにした複数のサブグループに区分され、
駆動電圧は４個の駆動電圧に区分されて前記複数のサブグループの一つのサブグループにのみ印加される、請求項２〜４のいずれか一項に記載のカメラモジュール。
【請求項６】
前記追加電圧生成回路は、前記第１端子から入力された２個の電圧の和の半分のレベルを有する前記追加電圧を生成する、請求項１に記載のカメラモジュール。
【請求項７】
ハウジングと、
前記ハウジングに配置される少なくとも一つのカメラモジュールと、
前記ハウジングに配置されて映像を出力するディスプレイ部とを含み、
前記カメラモジュールは、
互いに異なる２種の液体が形成する界面を制御するために少なくとも一つの電極セクターを含む第１電極と８個以上の電極セクターを含む第２電極を含む液体レンズ及び一つ以上の固体レンズを含むレンズアセンブリーと、
前記第１電極及び前記第２電極に供給される電圧を制御する制御回路と、
個別電極と共通電極を前記制御回路と連結する連結部とを含み、
前記液体レンズに連結され、第１端子及び第２端子を含む第１基板と、
前記第１端子から入力された電圧を用いて追加電圧を生成して第２端子に出力する追加電圧生成回路を含み、
前記第２電極の電極セクターの個数は前記第１端子の個数より多い、
光学機器。
【請求項８】
前記８個以上の電極セクターは４個の電極を１グループにした複数のサブグループに区分され、
駆動電圧は４個の駆動電圧に区分されて前記複数のサブグループの一つのサブグループにのみ印加される、請求項７に記載の光学機器。
【請求項９】
前記制御回路は、前記複数のサブグループの中で前記駆動電圧が印加されるサブグループを決定する、請求項８に記載の光学機器。
【請求項１０】
前記複数のサブグループの中で前記駆動電圧が印加されるサブグループは前記駆動電圧のレベルによって決定される、請求項８に記載の光学機器。
【請求項１１】
前記複数のサブグループは、第１グループと前記第１グループに隣接した第２グループとを含み、
前記第２グループに属する第２電極セクターに印加される電圧のレベルは前記第２電極セクターの両側の前記第１グループに属する第１電極セクターに印加される電圧に基づいて生成される、請求項８に記載の光学機器。
【請求項１２】
前記連結部は、前記複数のサブグループの一つである第１グループに属する複数の第１グループ所属電極セクターにそれぞれ印加される複数の駆動電圧が印加され、前記複数のサブグループの他の一つである第２グループに属する第２グループ所属電極セクター及び前記複数の第１グループ所属電極セクターの一つに伝達する複数の伝達部を含む、請求項８又は１１に記載の光学機器。
【請求項１３】
前記連結部は、前記複数のサブグループの中でどのサブグループに駆動電圧を印加するかを決定する決定回路を含む、請求項１２に記載の光学機器。
【請求項１４】
前記連結部は、前記複数の第１グループ所属電極セクターにそれぞれ印加される前記複数の駆動電圧を合わせてから半分に割って前記第２グループ所属電極セクターに供給する加算器回路を含む、請求項１３に記載の光学機器。
【請求項１５】
前記連結部は、前記複数の第１グループ所属電極セクターにそれぞれ印加される前記複数の駆動電圧の一つと前記加算器回路の間に配置され、制御信号に応答してスイッチングされるスイッチ回路を含み、
前記制御信号は前記決定回路又は外部から与えられる、請求項１４に記載の光学機器。
【請求項１６】
少なくとも一つの固体レンズを含むホルダーと、
前記ホルダーと結合する四角形の液体レンズと、
前記液体レンズに連結され、第１端子及び第２端子を含む第１基板と、
前記第１基板に連結される第２基板と、
前記液体レンズの光軸方向に配置されて前記第２基板に配置されるイメージセンサーとを含み、
前記液体レンズは、
伝導性液体及び非伝導性液体を収容するキャビティを含む第１プレートと、
前記第１プレート上に配置される第１電極と、
前記第１プレートの下に配置され、前記液体レンズの角部に配置される４個の電極セクターと前記角部に配置される４個の電極セクターの間ごとに一つずつ配置される４個の電極セクターを含む第２電極と、
前記第１電極上に配置される第２プレートと、
前記第２電極の下に配置される第３プレートとを含み、
前記第１基板は前記第２電極と前記第２基板を連結し、
前記第１端子から入力された電圧を用いて追加電圧を生成して第２端子に出力する追加電圧生成回路を含み、
前記第２電極の電極セクターの個数は前記第１端子の個数より多い、
カメラモジュール。
【請求項１７】
前記第１基板が前記第２基板に連結される端子の個数は８個であり、
前記第２電極の８個の電極セクターのそれぞれに供給される駆動電圧は少なくとも３種の相異なる大きさを含む、請求項１６に記載のカメラモジュール。
【請求項１８】
前記第２電極の８個の電極セクターに印加される駆動電圧の中で最大の駆動電圧と最小の駆動電圧は界面を中心に対称的に印加される、請求項１６又は１７に記載のカメラモジュール。
【請求項１９】
前記最大の駆動電圧が印加される電極セクターと前記最小の駆動電圧が印加される電極セクターを基準に両側に互いに対称的に配置される一対の電極セクターは同じ駆動電圧を有する、請求項１８に記載のカメラモジュール。
【発明の詳細な説明】
【技術分野】
【０００１】
本発明は液体レンズを含むカメラモジュール及び光学機器に関する。より具体的には、本発明は電気エネルギーを用いて焦点距離を調整することができる液体レンズを含むカメラモジュール及び光学機器に関する。
【背景技術】
【０００２】
携帯用装置の使用者は、高解像度を有しながらも大きさが小さくて多様な撮影機能（光学ズーム機能（ｚｏｏｍ−ｉｎ／ｚｏｏｍ−ｏｕｔ）、オートフォーカシング（Ａｕｔｏ−Ｆｏｃｕｓｉｎｇ、ＡＦ）機能、手ぶれ補正又はオプティカルイメージスタビライゼーション（Ｏｐｔｉｃａｌ  Ｉｍａｇｅ  Ｓｔａｂｉｌｉｚｅｒ、ＯＩＳ）機能など）を有する光学機器を望んでいる。このような撮影機能は複数のレンズを組み合わせて直接レンズを動かす方法によって具現することができるが、レンズの数を増加させる場合、光学機器の大きさが大きくなることがある。オートフォーカスと手ぶれ補正の機能は、レンズホルダーに固定されて光軸が整列された複数のレンズモジュールが、光軸方向又は光軸の直角方向に移動するかチルティング（Ｔｉｌｔｉｎｇ）することによってなされ、レンズモジュールを駆動させるために別途のレンズ駆動装置を使う。しかし、レンズ駆動装置は電力消耗が高く、これを保護するために、カメラモジュールとは別にカバーガラスを付け加えなければならないから、総厚さが厚くなる。
【０００３】
したがって、両液体間の界面の曲率を電気的に調節してオートフォーカスと手ぶれ補正の機能を行う液体レンズに対する研究が行われている。
【発明の概要】
【発明が解決しようとする課題】
【０００４】
本発明は電気エネルギーによって２種の液体間に位置する界面の位置を調整することができるレンズを含むカメラモジュール及び光学機器においてより精密に界面の位置と動きを制御することができるレンズの駆動回路及びレンズ制御方法を提供することができる。
【０００５】
また、本発明はレンズ内に形成される界面を、東、西、南、北の方向だけではなく、東北、東南、西北、西南のような対角方向を含めた方向への界面調整が可能なレンズ駆動回路を提供することができる。
【０００６】
本発明で達成しようとする技術的課題は以上で言及した技術的課題に制限されず、言及しなかった他の技術的課題は下記の記載から実施例が属する技術分野で通常の知識を有する者に明らかに理解可能であろう。
【課題を解決するための手段】
【０００７】
本発明の一実施例によるカメラモジュールは、固体レンズを含むホルダーと、前記ホルダーと結合する液体レンズと、前記液体レンズに連結され、第１端子及び第２端子を含む第１基板と、前記第１基板に連結される第２基板と、液体レンズに対応する位置の前記第２基板上に配置されるイメージセンサーとを含み、前記液体レンズは、伝導性液体及び非伝導性液体が配置されるキャビティを含む第１プレートと、前記第１プレート上に配置される第１電極と、前記第１プレートの下に配置され、複数の電極セクターを含む第２電極と、前記第１電極上に配置される第２プレートと、前記第２電極の下に配置される第３プレートとを含み、前記第１基板は前記第２電極の電極セクターと前記第２基板を連結し、前記第１端子は複数で前記第２基板に連結され、前記第２端子は複数で前記複数の第２電極セクターに連結され、前記第２電極の電極セクターの個数は前記第１端子の個数より多くてもよい。
【０００８】
また、前記第１電極の電極セクターは一つであってもよく、前記第２電極の電極セクターは８個以上であってもよく、第２基板に連結される第１基板の端子は４個であってもよい。
【０００９】
また、前記第２電極の８個以上の電極セクターは、直交する４方向に駆動電圧を供給するための４個の電極を含む第１グループと、前記第１グループの４個の電極の間ごとに一つずつ配置される４個の電極を含む第２グループとを含むことができる。
【００１０】
また、前記第２グループの各電極セクターに印加される駆動電圧は前記第２グループの各電極セクターに隣接した前記第１グループの二つの電極セクターに印加される駆動電圧の平均であってもよい。
【００１１】
また、前記８個以上の電極セクターは４個の電極を一グループにした複数のサブグループに区分され、前記駆動電圧は４個の駆動電圧に区分されて前記複数のサブグループの一つのサブグループにのみ印加されることができる。
【００１２】
また、前記第１端子から入力された電圧を用いて追加電圧を生成して第２端子に出力する追加電圧生成回路を含むことができる。
【００１３】
本発明の他の実施例による光学機器は、ハウジングと、前記ハウジングに配置される少なくとも一つのカメラモジュールと、前記ハウジングに配置されて映像を出力するディスプレイ部とを含み、前記カメラモジュールは、互いに異なる２種の液体が形成する界面を制御するために少なくとも一つの電極セクターを含む第１電極と８個以上の電極セクターを含む第２電極を含む液体レンズ及び一つ以上の固体レンズを含むレンズアセンブリーと、前記第１電極及び前記第２電極に供給される電圧を制御する制御回路と、前記個別電極と前記共通電極を前記制御回路と連結する連結部とを含むことができる。
【００１４】
本発明のさらに他の実施例によるカメラモジュールは、少なくとも一つの固体レンズを含むホルダーと、前記ホルダーと結合する四角形の液体レンズと、前記液体レンズに連結され、第１端子及び第２端子を含む第１基板と、前記第１基板に連結される第２基板と、前記液体レンズの光軸方向に配置されて前記第２基板に配置されるイメージセンサーとを含み、前記液体レンズは、伝導性液体及び非伝導性液体を収容するキャビティを含む第１プレートと、前記第１プレート上に配置される第１電極と、前記第１プレートの下に配置され、前記液体レンズの角部に配置される４個の電極セクターと前記角部に配置される４個の電極セクターの間ごとに一つずつ配置される４個の電極セクターを含む第２電極と、前記第１電極上に配置される第２プレートと、前記第２電極の下に配置される第３プレートとを含み、前記第１基板は前記第２電極と前記第２基板を連結することができる。
【００１５】
また、前記第１基板が前記第２基板に連結される端子の個数は８個であってもよい。
【００１６】
また、前記第２電極の８個の電極セクターのそれぞれに供給される駆動電圧は少なくとも３種の相異なる大きさを含むことができる。
【００１７】
また、前記第２電極の８個の電極セクターに印加される駆動電圧の中で最大の駆動電圧と最小の駆動電圧は前記界面を中心に対称的に印加されることができる。
【００１８】
また、前記最大の駆動電圧が印加される電極セクターと前記最小の駆動電圧が印加される電極セクターを基準に互いに対称的に配置される一対の電極セクターは同じ駆動電圧を有することができる。
【００１９】
前記本発明の様態は本発明の好適な実施例の一部に過ぎず、本発明の技術的特徴が反映された多様な実施例が当該技術分野の通常的な知識を有する者によって以下で詳述する本発明の詳細な説明に基づいて導出されて理解されることができる。
【発明の効果】
【００２０】
本発明による装置による効果について説明すれば次のようである。
【００２１】
本発明は焦点距離を調整することができるレンズ内の界面を８方向から提供することができる駆動回路によってオプティカルイメージスタビライゼーション（Ｏｐｔｉｃａｌ  Ｉｍａｇｅ  Ｓｔａｂｉｌｉｚｅｒ、ＯＩＳ）をより容易に具現することができる。
【００２２】
また、本発明は界面をなす２種の液体を含むレンズを駆動する駆動回路を変更せず、駆動電圧をレンズに供給するための連結手段とレンズへの電極の配置を変更してより精巧にレンズの界面を制御することができる利点がある。
【００２３】
本発明で得られる効果は以上で言及した効果に制限されず、言及しなかった他の効果は以下の記載から本発明が属する分野で通常の知識を有する者に明らかに理解可能であろう。
【図面の簡単な説明】
【００２４】
【図１】カメラモジュールを説明する。
【図２】液体レンズを含むレンズアセンブリーを説明する。
【図３ａ】液体レンズの第１例を説明する。
【図３ｂ】液体レンズの第１例を説明する。
【図４】図３ｂで液体レンズのオプティカルイメージスタビライゼーション（ＯＩＳ）の動作を説明する。
【図５】液体レンズの構造を説明する。
【図６】液体レンズ及び駆動回路の連結手段を説明する。
【図７】液体レンズの駆動方法を説明する。
【図８】液体レンズの第２例及びオプティカルイメージスタビライゼーション（ＯＩＳ）動作の第１例を説明する。
【図９】液体レンズの第２例及びオプティカルイメージスタビライゼーション（ＯＩＳ）動作の第２例を説明する。
【図１０】図６で説明された連結手段の内部構成を説明する。
【図１１】図１０の連結手段に含まれる加算器回路を説明する。
【図１２】液体レンズと制御モジュールを説明する。
【図１３】液体レンズ及び駆動回路の連結手段を説明する。
【図１４】液体レンズの電極配置と光学式ぶれ補正（ＯＩＳ）動作の方向を説明する。
【図１５ａ】オプティカルイメージスタビライゼーション（ＯＩＳ）動作の例を説明する。
【図１５ｂ】オプティカルイメージスタビライゼーション（ＯＩＳ）動作の例を説明する。
【発明を実施するための形態】
【００２５】
以下、添付図面に基づいて実施例を詳細に説明する。実施例は多様な変更を加えることができ、さまざまな形態を有することができるが、特定の実施例を図面に例示し本文に詳細に説明しようとする。しかし、これは実施例を特定の開示形態に限定しようとするものではなく、実施例の思想及び技術範囲に含まれる全ての変更、均等物乃至代替物を含むものに理解されなければならない。
【００２６】
“第１”、“第２”などの用語は多様な構成要素を説明するのに使われるが、前記構成要素は前記用語によって限定されてはいけない。前記用語は一構成要素を他の構成要素から区別する目的のみで使われる。また、実施例の構成及び作用を考慮して特別に定義された用語は実施例を説明するためのものであり、実施例の範囲を限定するものではない。
【００２７】
実施例の説明において、各要素（ｅｌｅｍｅｎｔ）の“上又は下（ｏｎ ｏｒ ｕｎｄｅｒ）”に形成されるものとして記載される場合、上又は下（ｏｎ ｏｒ ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ ｏｒ ｕｎｄｅｒ）”と表現される場合、一つの要素（ｅｌｅｍｅｎｔ）を基準に上方だけでなく下方の意味も含むことができる。
【００２８】
また、以下に使われる“上／上部／上の”及び“下／下部／下の”などの関係的用語は、そのような実体又は要素間のある物理的又は論理的関係又は手順を必ず要求するか内包せず、ある一つの実体又は要素を他の実体又は要素と区別するために用いることもできる。
【００２９】
小型化している携帯用装置に複数のレンズを含むカメラ装置を搭載し、複数のレンズ間の間隔を調節して焦点距離を変更する方法によって光学ズーム機能（ｚｏｏｍ−ｉｎ／ｚｏｏｍ−ｏｕｔ）、オートフォーカシング（Ａｕｔｏ−Ｆｏｃｕｓｉｎｇ、ＡＦ）機能、手ぶれ補正又はオプティカルイメージスタビライゼーション（Ｏｐｔｉｃａｌ  Ｉｍａｇｅ  Ｓｔａｂｉｌｉｚｅｒ、ＯＩＳ）機能を具現することは易しくない。このような問題を解決するための手段及び方法として透明で硬いガラス（ｇｌａｓｓ）又はプラスチックの代わりに液体からレンズを作ることができる。液体からレンズを作る場合、レンズの焦点距離はエレクトロウェッティング（Ｅｌｅｃｔｒｏｗｅｔｔｉｎｇ）現象によって調整することができる。エレクトロウェッティング現象を用いた液体レンズはレンズを動かして（レンズ間の距離を調整して）焦点距離を調整することよりカメラ装置のサイズを小さくすることできるだけでなく、レンズをモーターなどで機械的に動かすことより電力消耗を少なくすることができる。
【００３０】
図１は本発明の一実施例によるカメラモジュール１０の例を説明する。
【００３１】
図１を参照すると、カメラモジュール１０は、レンズアセンブリー２２、制御回路２４、及びイメージセンサー２６を含むことができる。前記液体レンズは、第１電極（又は共通電極）の電極セクターと第２電極（又は個別電極）の複数の電極セクターの間に印加される駆動電圧に対応して焦点距離が調整され、前記制御回路は液体レンズに駆動電圧を供給するための信号を伝達し、前記イメージセンサーはレンズアセンブリー２２に整列され、レンズアセンブリー２２を介して伝達される光を電気信号に変換する。
【００３２】
カメラモジュール１０は、単一プリント基板（ＰＣＢ）上に配置された複数の回路２４、２６と複数のレンズを含むレンズアセンブリー２２を含むことができるが、これは一例に過ぎず、発明の範囲を限定しない。制御回路２４の構成はカメラモジュールに要求される仕様によって違うように設計されることができる。特に、レンズアセンブリー２２に印加される動作電圧の大きさを減らすために、制御回路２４は単一チップ（ｓｉｎｇｌｅ  ｃｈｉｐ）から具現することができる。これにより、携帯用装置に搭載されるカメラモジュールの大きさをもっと減らすことができる。
【００３３】
図２はカメラモジュール１０に含まれたレンズアセンブリー２２の例を説明する。
【００３４】
図２を参照すると、レンズアセンブリー２２は、第１レンズ部１００、第２レンズ部２００、液体レンズ部３００、ホルダー４００及び連結部５００を含むことができる。図示のレンズアセンブリー２２の構造は一例に過ぎず、カメラモジュールに要求される仕様によってレンズアセンブリー２２の構造は変わることができる。例えば、図示の例では液体レンズ部３００が第１レンズ部１００と第２レンズ部１００の間に位置しているが、他の例では液体レンズ部３００が第１レンズ部１００より上部（前面）に位置することもでき、第２レンズ部が省略されることもできる。液体レンズは第１プレート及び電極を含むことができる。液体レンズは伝導性液体及び非伝導性液体が配置されるキャビティが形成された第１プレート及び第１プレートの上部又は下部に配置される電極を含むことができる。液体レンズの電極は一つ又は二つ以上であってもよく、第１プレートの上部に第１電極が配置され、第１プレートの下部に第２電極が配置できる。第１電極及び第２電極はそれぞれ少なくとも一つ以上の電極セクターを含むことができる。一実施例で、第１電極は一つの電極セクターを含み、第２電極は複数の電極セクターを含むことができる。電極セクターはそれぞれ独立的に電圧を印加できる電極領域であってもよい。第１基板のキャビティは側面に傾斜面が形成されることができる。図２のキャビティ側面の傾斜面は液体レンズの上部に行くほどキャビティが光軸に垂直な方向に広くなる形状であるが、実施例によっては下部に行くほど広くなるように液体レンズのキャビティが形成されることができる。液体レンズは、第１プレートの上部に配置される第２プレート又は第１プレートの下部に配置される第３プレートを含むことができる。
【００３５】
カメラモジュールにおいて液体レンズは固体レンズを含むホルダーに結合されることができる。ここで、液体レンズはイメージセンサーが実装されるセンサー基板と連結される基板を一つ以上含むことができる。一実施例で、液体レンズの連結部は第１基板として形成され、イメージセンサーが実装される第２基板と物理的及び／又は電気的に連結できる。また、連結部は第３基板をさらに含み、液体レンズとイメージセンサーが実装される第２基板と連結できる。また、カメラモジュールにおいて、図２の液体レンズ部３００の伝導性液体及び非伝導性液体が配置されるキャビティの開口の大きさは上部と下部で違ってもよい。したがって、カメラモジュールに配置される液体レンズの開口の大きさは上部が下部より大きく配置されるか、下部が上部より大きく配置できる。
【００３６】
第１レンズ部１００はレンズアセンブリー２２の前方に配置され、レンズアセンブリー２２の外部から光が入射する構成である。第１レンズ部１００は少なくとも一つのレンズから構成されることができ、あるいは２個以上の複数のレンズが中心軸ＰＬを基準に整列されて光学系を形成することもできる。
【００３７】
第１レンズ部１００及び第２レンズ部２００はホルダー４００に装着されることができる。ここで、ホルダー４００には貫通孔が形成され、貫通孔に第１レンズ部１００及び第２レンズ部２００が配置できる。また、ホルダー４００に配置される第１レンズ部１００と第２レンズ部２００間の空間には液体レンズ部３００が挿入されることができる。
【００３８】
一方、第１レンズ部１００は露出レンズ１１０を含むことができる。また、露出レンズ１１０はホルダー４００の外部に突出して外部に露出されることができるレンズを言う。露出レンズ１１０の場合、外部に露出されることによってレンズの表面が損傷することがある。仮に、レンズ表面が損傷する場合、カメラモジュールで撮影されるイメージの画質が低下することがある。露出レンズ１１０の表面損傷を防止又は抑制するために、カバーガラスを配置させるかコーティング層を形成するか露出レンズ１１０を表面損傷を防止するための耐磨耗性素材から構成する方法などを適用することができる。
【００３９】
第２レンズ部２００は第１レンズ部１００及び液体レンズ部３００の後方に配置され、外部から第１レンズ部１００に入射する光は液体レンズ部３００を透過して第２レンズ部２００に入射することができる。第２レンズ部２００は第１レンズ部１００から離隔してホルダー４００に形成される貫通孔に配置できる。
【００４０】
一方、第２レンズ部２００は少なくとも一つのレンズから構成されることができ、２個以上の複数のレンズを含む場合、中心軸ＰＬを基準に整列されて光学系を形成することもできる。
【００４１】
液体レンズ部３００は第１レンズ部１００と第２レンズ部２００の間に配置され、ホルダー４００の挿入口４１０に挿入されることができる。液体レンズ部３００も第１レンズ部１００及び第２レンズ部２０００と同様に中心軸ＰＬを基準に整列されることができる。
【００４２】
液体レンズ部３００にはレンズ領域３１０を含むことができる。レンズ領域３１０は第１レンズ部１００を通過した光が透過する部位であり、少なくとも一部に液体を含むことができる。例えば、レンズ領域３１０には２種、すなわち導電性液体と非導電性液体がともに含まれることができ、導電性液体と非導電性液体は互いに混じらずに境界面を成すことができる。連結部５００を介して印加される駆動電圧によって導電性液体と非導電性液体間の境界面が変形されて液体レンズ３００の曲率、焦点距離が変更されることができる。このような境界面の変形、曲率の変更が制御されれば、液体レンズ部３００とこれを含むレンズアセンブリー２２及びカメラモジュールは光学ズーム機能、オートフォーカシング（Ａｕｔｏ−Ｆｏｃｕｓｉｎｇ；ＡＦ）機能、手ぶれ補正又はオプティカルイメージスタビライゼーション（Ｏｐｔｉｃａｌ  Ｉｍａｇｅ  Ｓｔａｂｉｌｉｚｅｒ、ＯＩＳ）機能などを遂行することができる。
【００４３】
図３ａ及び図３ｂは液体レンズの第１例を説明する。具体的には、図３ａは少なくとも一つ以上の電極セクターを含む第１電極Ｃ０（共通電極）と少なくとも一つ以上の電極セクターＬ１、Ｌ２、Ｌ３、Ｌ４を含む第２電極（個別電極）を含み、レンズアセンブリー２２（図２参照）に含まれた液体レンズ２８を説明し、図３ｂは液体レンズ２８に含まれた界面３０と界面３０を制御するための複数の電極セクターＬ１、Ｌ２、Ｌ３、Ｌ４を含む第２電極（個別電極）を説明する。
【００４４】
図３ａ及び図３ｂを参照すると、一例示として、駆動電圧に対応して界面が調整される液体レンズ２８は同じ角距離を有することができ、４個の相異なる方向に配置された第２電極（個別電極）の複数の電極セクターＬ１、Ｌ２、Ｌ３、Ｌ４を介して駆動電圧を印加できる。第２電極（個別電極）の複数の電極セクターＬ１、Ｌ２、Ｌ３、Ｌ４を介して駆動電圧が印加されれば、レンズ領域３１０に配置された導電性液体と非導電性液体の境界面３０が変形できる。導電性液体と非導電性液体の境界面３０の変形の程度及び形態はＡＦ機能又はＯＩＳ機能を具現するために供給される駆動電圧によって制御できる。
【００４５】
液体レンズ２８内の２種の液体が形成する界面３０は第２電極（個別電極）の４個の電極セクターＬ１、Ｌ２、Ｌ３、Ｌ４と第１電極Ｃ０（共通電極）の間に印加される駆動電圧によって制御できる。例えば、駆動電圧の総和はカメラモジュールの自動焦点（Ａｕｔｏ  Ｆｏｃｕｓ、ＡＦ）によって決定され、駆動電圧を区分した個別駆動電圧の偏差はオプティカルイメージスタビライゼーション（Ｏｐｔｉｃａｌ  Ｉｍａｇｅ  Ｓｔａｂｉｌｉｚｅｒ、ＯＩＳ）によって決定できる。
【００４６】
仮に、第２電極の４個の電極セクターＬ１、Ｌ２、Ｌ３、Ｌ４と第１電極Ｃ０（共通電極）の間のいずれにも５０Ｖの個別駆動電圧が印加された場合に界面３０が有する焦点距離は、第２電極の４個の電極セクターＬ１、Ｌ２、Ｌ３、Ｌ４と第１電極Ｃ０（共通電極）の間のいずれにも４０Ｖの個別駆動電圧が印加された場合に界面３０が有する焦点距離より短くてもよい。第２電極の４個の電極セクターＬ１、Ｌ２、Ｌ３、Ｌ４に印加される個別駆動電圧の総和が大きくなるほど界面３０の焦点距離は短くなることができる。
【００４７】
一方、第２電極の４個の電極セクターＬ１、Ｌ２、Ｌ３、Ｌ４と第１電極Ｃ０（共通電極）の間に印加される第１電極の各電極セクターと第２電極の電極セクターの間に印加される個別駆動電圧の大きさは同一でなくてもよい。この場合、互いに異なる大きさの個別駆動電圧によって界面３０の曲率が対称的ではなくて特定の方向に偏ることができる。例えば、２個の第２電極の電極セクターＬ１、Ｌ２と第１電極Ｃ０（共通電極）の間に印加される個別駆動電圧が第２電極の他の２個の電極セクターＬ３、Ｌ４と第１電極Ｃ０（共通電極）の間に印加される個別駆動電圧より大きい場合、２個の第２電極の電極セクターＬ１、Ｌ２に近い界面３０の曲率が他の２個の第２電極の電極セクターＬ３、Ｌ４に近い界面の曲率より大きくてもよい。これにより、界面３０は第２電極の２個の電極セクターＬ１、Ｌ２間の方向（例えば、左側）に偏ることができる。
【００４８】
図４は図３ｂで説明した液体レンズのオプティカルイメージスタビライゼーション（ＯＩＳ）動作を説明する。
【００４９】
図示のように、液体レンズ２８内の界面３０Ａが右側に移動した界面３０Ｂに偏るためには、界面３０Ａ、３０Ｂに配置された４個の第２電極の電極セクターＬ１、Ｌ２、Ｌ３、Ｌ４に印加される個別駆動電圧の大きさを調整することができる。
【００５０】
例えば、第２電極の４個の電極セクターＬ１、Ｌ２、Ｌ３、Ｌ４に印加される個別駆動電圧の大きさがいずれも５０Ｖの場合、界面３０Ａはレンズの中心に位置することができる。ここで、第２電極の４個の電極セクターＬ１、Ｌ２、Ｌ３、Ｌ４に印加される個別駆動電圧の総和は２００Ｖである。
【００５１】
その後、第２電極の第１電極セクターＬ１、第２電極セクターＬ２には４０Ｖが印加され、第３電極セクターＬ３、第４電極セクターＬ４には６０Ｖが印加できる。ここで、第２電極の４個の電極セクターＬ１、Ｌ２、Ｌ３、Ｌ４に印加される個別駆動電圧の総和は２００Ｖであって変わらなかった。よって、二つの界面３０Ａ、３０Ｂの自動焦点（Ａｕｔｏ  Ｆｏｃｕｓ、ＡＦ）のための焦点距離は同一又は類似であり得る。ただ、第２電極の第１及び第２電極セクターＬ１、Ｌ２に印加された個別駆動電圧より第３及び第４電極セクターＬ３、Ｌ４に印加された個別駆動電圧が大きいため、界面３０Ｂは元の中央位置から右側に偏ることができる。
【００５２】
前述した方式で、右側だけではなく、左側、上側、下側の方向に界面３０Ａ、３０Ｂが偏るように個別駆動電圧を第２電極の４個の電極セクターＬ１、Ｌ２、Ｌ３、Ｌ４に印加することができる。しかし、この実施例で、４方向ではなくて右上側、右下側などの方向に界面３０Ａ、３０Ｂを移動させにくいことがある。
【００５３】
図５は液体レンズの構造を説明する断面図である。
【００５４】
図示のように、液体レンズは、伝導性液体及び非伝導性液体が配置されるキャビティが形成された第１プレート１４、第１プレートの上部に配置される第２プレート１２、及び第１プレートの下部に配置される第３プレート１６を含むことができる。伝導性液体と非伝導性液体は界面３０を形成することができる。また、液体レンズは、界面３０を制御するための第１電極３２及び第２電極３４が配置されている。第１電極３２は第１プレートの上部（下部）に配置でき、第２電極３４は第１プレートの下部（上部）に配置できる。第１電極又は第２電極は、液体と接触して液体の性質が変わることを防止するために、液体と第１電極又は第２電極の間に絶縁層（図示せず）が配置できる。
【００５５】
第１電極３２と第２電極３４は連結部４４、４２を介して駆動電圧を供給する制御回路（図示せず）と連結できる。ここで、制御回路は、液体レンズの界面３０の曲面、中心点、傾きなどを調整するための駆動電圧を生成して供給するための回路を含むことができる。制御回路は、図４で説明した液体レンズ２８に含まれた第２電極の４個の電極セクターセクターＬ１、Ｌ２、Ｌ３、Ｌ４に印加可能な４個の個別駆動電圧を生成することができる。
【００５６】
一方、制御回路と液体レンズの電極セクター３２、３４を連結する連結部４４、４２はフレキシブルプリント回路基板（ｆｌｅｘｉｂｌｅ  ｐｒｉｎｔｅｄ  ｃｉｒｃｕｉｔ  ｂｏａｒｄ、ＦＰＣＢ）を用いることができる。フレキシブルプリント回路基板（ＦＰＣＢ）は駆動電圧を伝達する少なくとも一つの配線だけではなく簡単な回路を含むこともできる。実施例によって、連結部４４、４２は多様な素材、物質を用いて具現することができる。連結部は一つ又は二つ以上が配置できる。一実施例で、二つの連結部４２、４４を含む場合、第１電極の上部（下部）に第１連結部が配置でき、第２電極の下部（上部）に第２連結部が配置できる。第１連結部は第１基板又は金属素材のメタルプレートであってもよく、第２連結部は第２基板又はメタルプレートであってもよい。
【００５７】
カメラモジュールに含まれる液体レンズは、互いに異なる２種の液体が形成する界面３０を制御するために、少なくとも一つの電極セクターを含む第１電極３２（共通電極）と少なくとも８個の電極セクターを含む第２電極３４（個別電極）とを含むことができる。第２電極３４（個別電極）は第１プレートのキャビティの傾斜面に配置できる。第２電極３４（個別電極）は第１プレートの下部及び第１プレートの液体が配置される傾斜面に配置できる。第２電極と第１プレートのキャビティに配置される液体の間には絶縁層が配置できる。このような液体レンズは図１で説明した少なくとも一つ以上の固体レンズを含むレンズアセンブリーに挿入されるか含まれることができる。また、カメラモジュールには、液体レンズに含まれた少なくとも８個の電極セクターを含む第２電極と少なくとも一つの電極セクターを含む第１電極に駆動電圧を供給するための制御回路又は駆動回路と第１電極又は少なくとも８個の電極セクターを含む第２電極を連結する連結部が含まれることができる。連結部は基板又はメタルプレートであってもよい。
【００５８】
図６は液体レンズ及び駆動回路の連結手段を説明する。
【００５９】
図示のように、液体レンズと駆動回路（例えば、制御回路）を電気的に連結する連結手段は、フレキシブルプリント回路基板（ＦＰＣＢ）を用いて個別駆動電圧を第２電極のそれぞれの電極セクターに供給するための第１連結部４２と、フレキシブルプリント回路基板（ＦＰＣＢ）又はメタルプレートを用いて第１電極に電圧を供給するための第２連結部４４とを含むことができる。連結部は、液体レンズの第１電極又は第２電極と電気的及び／又は物理的に連結される端子と、イメージセンサーが実装されるセンサー基板と電気的及び／又は物理的に連結される端子とを含むことができる。図６の一実施例を参照すると、センサー基板と電気的及び／又は物理的に連結される端子が右側にＬ１、Ｌ２、Ｌ３、Ｌ４及びＣ０で表示されており、液体レンズの電極と電気的及び／又は物理的に連結される端子が時計方向に沿って円内文字であるＬ１、Ｘ４、Ｌ４、Ｘ３、Ｌ３、Ｘ２、Ｌ２、Ｘ１で表示されている。第１連結部は第１基板であってもよい。第１連結部が第１基板の場合、第１基板は複数の第１端子と複数の第２端子を含むことができる。第１端子はイメージセンサーが実装される第２基板と連結でき、第２端子は第２電極セクターと連結できる。ここで、第２電極の電極セクターの個数は第１端子の個数より多くてもよい。第１基板は第１端子を介して電圧を受け、第２端子を介して液体レンズの電極セクターに電圧を印加することができる。第１基板には追加電圧を生成することができる追加電圧生成回路が備えられることで、第１端子を介して受けた電圧を用いて追加電圧を生成することができる。例えば、追加電圧生成回路は４個の電圧レベルに対する入力を受けて８個の電圧レベルを生成する回路であってもよい。追加電圧生成回路は加算器の機能をする回路を含むことができる。追加電圧生成回路はバイパス（ｂｙｐａｓｓ）する回路を含むことができる。また、追加電圧生成回路はスイッチ回路を含むことができる。追加電圧生成回路を介して追加に生成された電圧を含めて、第２端子を介して液体レンズに、第１端子を介して受けた電圧の個数より多い個数の電圧を伝達することができる。これにより、動作のための電圧の個数より第１基板と第２基板の連結部分の個数が減少するので、組立工程上利点があり、カメラモジュールのサイズが縮小することができる。したがって、第１端子の個数は第２電極の電極セクターの個数より少なく具現できる。
【００６０】
一方、第１連結部４２は、４個ではなくて８個の電極セクターＬ１、Ｌ２、Ｌ３、Ｌ４、Ｘ１、Ｘ２、Ｘ３、Ｘ４と電気的に連結できる。例えば、少なくとも８個の電極セクターは直交する４方向に個別駆動電圧を供給するための４個の電極セクターを含む第１電極グループ、及び第１電極グループに含まれた４個の電極の間にそれぞれ配置される第２電極グループを含むことができる。第１電極グループ及び第２電極グループの中で一つのグループは四角形の液体レンズの角部に配置できる。角部に配置されない残りの電極グループは角部に配置された電極グループに含まれる電極セクターの間に一つずつ配置される電極セクターを含むことができる。一方、第２連結部４４は共通電圧（例えば、グラウンド電圧、０Ｖ、ＤＣ又はＡＣ）を印加するためのもので、第１連結部４２と対応する形状又は構造を有することができる。ただ、共通電圧値は固定されずに変わることができる。
【００６１】
一実施例で、第１連結部４２は制御回路又は駆動回路から伝達される４個の個別駆動電圧を第２電極の８個の電極セクターに伝達することができる。液体レンズに含まれた第２電極の８個の電極セクターＬ１、Ｌ２、Ｌ３、Ｌ４、Ｘ１、Ｘ２、Ｘ３、Ｘ４は二つのサブグループに区分することができる。それぞれのサブグループは４個の電極セクターを含むことができる。例えば、第１グループは４個の電極セクターＬ１、Ｌ２、Ｌ３、Ｌ４を含み、第２グループは第２電極の他の４個の電極セクターＸ１、Ｘ２、Ｘ３、Ｘ４を含むことができる。第２電極のそれぞれの電極セクターＬ１、Ｌ２、Ｌ３、Ｌ４、Ｘ１、Ｘ２、Ｘ３、Ｘ４は液体レンズに含まれた界面３０（図５参照）を基準に同じ角距離を有することができる。また、それぞれのサブグループに含まれる電極セクターもいずれも同じ角距離を有することができる。
【００６２】
液体レンズが４個又は８個の第２電極の電極セクターを含む実施例について記述したが、第２電極の電極セクターの個数はこれに限定されない。液体レンズが８個より少ないか多い電極セクターを有することもできる。ただ、電極セクターの数は４の倍数であってもよく、４個の電極セクターが含まれたサブグループが３個、４個又はそれ以上があり得る。以下では、説明の便宜のために、液体レンズが８個の電極セクター、すなわち二つのサブグループを含む場合を例として説明する。
【００６３】
図７は液体レンズの駆動方法を説明する。
【００６４】
図示のように、液体レンズの駆動方法は、第２電極の電極セクターに印加される第１個別駆動電圧を生成する段階６２、及び第１個別駆動電圧が同じレベルを有するか２種又は二つ以上の相異なるレベルを有する場合、第１個別駆動電圧をサブグループ全体に印加するか複数のサブグループの一つに印加する段階６４を含むことができる。ここで、液体レンズは、両液体が形成する界面を調整するために、一つの電極セクターを含む第１電極及び８個の電極セクターを含み、複数のサブグループを有する第２電極を含むことができる。また、制御回路又は駆動回路は、液体レンズに含まれた一つのセクターを含む第１電極及び／又は第２電極の複数のサブグループに印加される駆動電圧を生成することができる。
【００６５】
制御回路又は駆動回路で生成された第１個別駆動電圧が３種の相異なるレベルを有する場合、液体レンズの制御方法は、第１個別駆動電圧を２種の相異なるレベルの第２個別駆動電圧に変換する段階６６、及び第２個別駆動電圧を複数のサブグループの他の一つに印加する段階６６をさらに含むことができる。ここで、第２個別駆動電圧は隣接した電極に印加される二つの第１個別駆動電圧を合わせてから半分に割ったものであり得る。
【００６６】
ここで、第１個別駆動電圧と第２個別駆動電圧は互いに異なるサブグループに印加できる。液体レンズを駆動する制御回路又は駆動回路は４個の第１個別駆動電圧を生成することができ、互いに異なるサブグループに対応して違うレベルを有することができる複数の個別駆動電圧を生成することができない。これは、制御回路又は駆動回路がいずれも４個の電極セクターを有する液体レンズの駆動のために設計されているからである。一方、液体レンズが４個の電極セクターを含む複数のサブグループを含む場合、複数のサブグループに印加される個別駆動電圧を生成する別途の装置が必要なことがあり得る。
【００６７】
また、液体レンズの制御方法は、第１個別駆動電圧を複数のサブグループの一つに印加するかを決定する段階をさらに含むことができる。液体レンズに含まれた複数のサブグループの一部に制御回路又は駆動回路から伝達される第１個別駆動電圧を指定された電極セクター（又は指定されたサブグループ）に伝達するか、変換過程を介して他の電極セクター（又は他のサブグループ）に印加するかに対して決定する必要がある。
【００６８】
一方、個別駆動電圧をどのサブグループに印加するかに対する決定は駆動回路又は制御回路から伝達された制御信号によってなされることができる。また、実施例によって、個別駆動電圧をどのサブグループに印加するかに対する決定は複数の第１個別駆動電圧のレベルによって決定されることもできる。これは、個別駆動電圧がどのサブグループに印加されるかによって駆動回路又は制御回路が生成する駆動電圧のレベルが変わることができるからである。
【００６９】
図８は液体レンズの第２例及びオプティカルイメージスタビライゼーション（ＯＩＳ）動作の第１例を説明する。
【００７０】
図示のように、第２電極の８個の電極セクターＬ１、Ｌ２、Ｌ３、Ｌ４、Ｘ１、Ｘ２、Ｘ３、Ｘ４、すなわち二つのサブグループである４個の電極セクターＬ１、Ｌ２、Ｌ３、Ｌ４と４個の電極セクターＸ１、Ｘ２、Ｘ３、Ｘ４を含む液体レンズの界面３０Ａを供給電圧の変化によって右側に移動させることができる。ここで、液体レンズの界面３０Ａは物理的に右側に移動して新しい位置３０Ｂに形成されるものではなく、界面３０Ａ、３０Ｂの曲率の変化によって、界面３０Ａ、３０Ｂを通過した像が結ぶ位置が移動することができることを意味する。
【００７１】
例えば、４個の電極セクターＬ１、Ｌ２、Ｌ３、Ｌ４を含む第１グループに同等に同じ５０Ｖの駆動電圧を供給すれば、界面３０Ａは中央に位置することができる。第１グループと第２グループのいずれにも５０Ｖの駆動電圧を供給しても界面３０Ａは中央に位置することができる。その後、オプティカルイメージスタビライゼーション（ＯＩＳ）動作のために（すなわち、カメラモジュールの傾き、手ぶれなどによってレンズの位置調整が必要な場合）、第２電極の４個の電極セクターＬ１、Ｌ２、Ｌ３、Ｌ４を含む第１グループに相異なるレベルの個別供給電圧を印加することができる。第１及び第２電極セクターＬ１、Ｌ２には５０Ｖの駆動電圧を４０Ｖの駆動電圧に低め、第３及び第４電極セクターＬ３、Ｌ４には５０Ｖの駆動電圧を６０Ｖの駆動電圧に高めることができる。この場合、実際界面３０（図５参照）の曲率に変化が起こり、界面３０Ｂを通過した像が結ぶ位置が右側に移動することができる。ここで、第２グループの電極セクターのそれぞれには電圧が印加されてもよく、電圧が印加されなくてもよい。第２グループに電極が印加される場合、第２グループの電極セクターのそれぞれは両側の第１グループの電極セクターに印加される電圧に基づいて生成される電圧（例えばＬ１、Ｌ２の平均電圧）が印加できる。
【００７２】
右側、左側、上側、下側などの方向に界面を通過した像の動きや移動は、前述したように第２電極の４個の電極セクターＬ１、Ｌ２、Ｌ３、Ｌ４を含む第１グループに印加される個別供給電圧を変更することによって可能である。しかし、右上側の方向に界面を動かそうとする場合、第２電極の４個の電極セクターＬ１、Ｌ２、Ｌ３、Ｌ４を含む第１グループに印加される個別供給電圧のレベルを変更することのみでは具現が難しいことがある。
【００７３】
図９は液体レンズの第２例及びオプティカルイメージスタビライゼーション（ＯＩＳ）動作の第２例を説明する。
【００７４】
図示のように、液体レンズの中心に位置する界面３０Ａを斜線方向に移動させようとする場合、液体レンズの第２電極に含まれた複数のサブグループ（すなわち、第２電極の８個の電極セクター）の中で第２グループに含まれた４個の電極セクターＸ１、Ｘ２、Ｘ３、Ｘ４に個別供給電圧を印加することができる。
【００７５】
液体レンズに駆動電圧を印加する制御回路又は駆動回路は第１グループに含まれた４個の電極セクターＬ１、Ｌ２、Ｌ３、Ｌ４又は第２グループに含まれた４個の電極セクターＸ１、Ｘ２、Ｘ３、Ｘ４に印加可能な個別駆動電圧を生成する。まず、界面３０Ａが液体レンズの中心に位置する場合、第１グループの４個の電極セクターＬ１、Ｌ２、Ｌ３、Ｌ４又は第２グループの４個の電極セクターＸ１、Ｘ２、Ｘ３、Ｘ４には５０Ｖの電圧が印加できる。
【００７６】
その後、斜線方向に移動した界面３０Ｂを具現するためには、４個の電極セクターＬ１、Ｌ２、Ｌ３、Ｌ４に印加される電圧を調整する必要がある。例えば、第１及び第３電極セクターＬ１、Ｌ３に印加可能な電圧は５０Ｖでそのまま維持されるが、第２及び第４電極セクターＬ２、Ｌ４に印加可能な個別駆動電圧は３０Ｖ及び７０Ｖに調整されることができる。ここで、電圧レベルが調整された個別駆動電圧は４個の電極セクターＬ１、Ｌ２、Ｌ３、Ｌ４に印加されず、液体レンズと制御回路又は駆動回路の間に位置する連結手段によって変形できる。例えば、第１電極セクターＬ１に印加される５０Ｖの個別駆動電圧と第２電極セクターＬ２に印加される３０Ｖの個別駆動電圧を合わせてから半分に割れば４０Ｖの個別駆動電圧が生成され、４０Ｖの個別駆動電圧を第１電極セクターＬ１と第２電極セクターＬ２の間に位置する第５電極セクターＸ１に印加することができる。同様に、第６、第７及び第８電極セクターＸ２、Ｘ３、Ｘ４には４０Ｖ、６０Ｖ、６０Ｖの個別駆動電圧が印加できる。４個の電極セクターＸ１、Ｘ２、Ｘ３、Ｘ４を含む第２グループに個別駆動電圧が印加されるとき、４個の電極セクターＬ１、Ｌ２、Ｌ３、Ｌ４を含む第１グループには個別駆動電圧が印加されなくてもよい。
【００７７】
図８及び図９を参照すると、液体レンズに含まれた複数のサブグループの一つに個別駆動電圧が印加されれば、左右上下の方向だけではなく斜線方向に界面を移動させることができる。より具体的には、左右上下の方向に界面を移動させようとする場合、制御回路又は駆動回路で生成される個別駆動電圧は２種の相異なるレベルを有することができる（例えば、図８の４０Ｖ、６０Ｖ）。一方、斜線方向に界面を移動させようとする場合、制御回路又は駆動回路で生成される個別駆動電圧は３種の相異なるレベルを有することができる（例えば、図９の３０Ｖ、５０Ｖ、７０Ｖ）。
【００７８】
前述したように、個別駆動電圧を複数のサブグループの中でどのグループに印加するかによって制御回路又は駆動回路で生成される個別駆動電圧の形態が変わることができる。これを用いれば、制御回路又は駆動回路で複数のサブグループの中でどのグループに個別駆動電圧が印加されるかを決定する別途の制御信号を出力しないとしても、制御回路又は駆動回路から出力される個別駆動電圧のレベルを感知することにより、複数のサブグループの中でどのグループに個別駆動電圧を印加するかとそのまま印加するか又は変形後に印加するかとを決定することができる。
【００７９】
一方、実施例によって、制御回路又は駆動回路と液体レンズの電極セクターを連結する連結手段に前述した個別駆動電圧を変更するか個別駆動電圧が印加される電極を決定するための回路又はロジックを含ませることができる。
【００８０】
図１０は図６で説明した連結手段の内部構成を説明する。
【００８１】
図示のように、制御回路又は駆動回路と液体レンズの少なくとも８個の電極セクターＬ１、Ｌ２、Ｌ３、Ｌ４、Ｘ１、Ｘ２、Ｘ３、Ｘ４を連結するための連結手段には、印加される個別駆動電極を変形することができる回路、ロジック又はモジュールを含むことができる。より具体的には、連結手段は、複数の伝達部５２と決定回路５８とを含むことができる。
【００８２】
複数の伝達部５２は、隣接した二つの電極セクター（例えば、Ｌ１及びＬ２）に印加可能な個別駆動電圧を印加され、第１グループの電極セクターＬ２及び第２グループの電極セクターＸ１の一つに個別駆動電圧を伝達することができる。複数の伝達部５２は決定回路５８によって制御されることができ、印加個別駆動電圧を第１グループの電極セクターにそのまま伝達するか、変形後に第２グループの電極セクターに伝達するかを決定することができる。決定回路５８は制御回路又は駆動回路から印加される個別駆動電圧Ｌ１、Ｌ２、…を感知し、４個の個別駆動電圧が３種の相異なるレベルを持っている場合、第２グループの電極セクターに伝達することによって決定することができる。一方、決定回路５８は４個の個別駆動電圧が全て同一であるか２個の相異なるレベルを有する場合、第１グループの電極セクターに伝達することによって決定することができる。
【００８３】
実施例によって、決定回路５８の代わりに外部から制御信号Ｃｔｒｌを受けることができる。ここで、制御信号Ｃｔｒｌは制御回路又は駆動回路から入力されることができる。
【００８４】
複数の伝達部５２は、制御信号Ｃｔｒｌ又は決定回路５８によって印加される個別駆動電圧をスイッチングすることができるスイッチ回路５４、及びスイッチ回路５４に連結され、二つの相異なる個別駆動電圧を合わせてから半分に割ったレベルの個別駆動電圧を出力することができる加算器回路５６とを含むことができる。
【００８５】
図１１は図１０の連結手段に含まれる加算器回路を説明する。
【００８６】
図示のように、加算器回路は二つの相異なる第１個別駆動電圧Ｌ１、Ｌ２を受け、個別駆動電圧Ｌ１、Ｌ２の和の半分大きさのレベルを有する第２個別駆動電圧Ｘ１を出力することができる。
【００８７】
加算器回路には演算増幅器（Ｏｐｅｒａｔｉｏｎａｌ  ａｍｐｌｉｆｉｅｒ、ｏｐ−ａｍｐ）の外にも複数の抵抗が含まれている。ここで、第１、第２及び第３抵抗Ｒａ、Ｒｂ、Ｒｃの抵抗値は同一であってもよく、第４及び第５抵抗Ｒｄ、Ｒｅの抵抗値は同一であってもよい。
【００８８】
具体的には、第１個別駆動電圧Ｌ１、Ｌ２は同じ抵抗値を有する第１及び第２抵抗Ｒａ、Ｒｂを経る二つの電流がノードＡで合わせられ、合わせられた電流Ｉが同じ抵抗値を有する第３抵抗Ｒｃを通過すれば、演算増幅器（ｏｐ−ａｍｐ）の出力端には第１個別駆動電圧Ｌ１、Ｌ２の和が印加できる。これを同じ抵抗値を有する第４及び第５抵抗Ｒｄ、Ｒｅに分配すれば、第１個別駆動電圧Ｌ１、Ｌ２の和の半分のレベルを有する第２個別駆動電圧Ｘ１を出力することができる。
【００８９】
図１２は液体レンズと制御モジュールを説明する。
【００９０】
図示のように、相異なる２種の液体が形成する界面３０を含む液体レンズ２８は８個の個別電極Ｌ１、Ｌ２、Ｌ３、Ｌ４、Ｘ１、Ｘ２、Ｘ３、Ｘ４と共通電極Ｃ０を含むことができる。液体レンズ２８の界面３０を制御するために、駆動回路５２は８個の個別電極Ｌ１、Ｌ２、Ｌ３、Ｌ４、Ｘ１、Ｘ２、Ｘ３、Ｘ４と共通電極Ｃ０に駆動電圧を供給することができる。
【００９１】
液体レンズ２８を制御するための制御モジュールは、駆動回路５２、オプティカルイメージスタビライゼーション（Ｏｐｔｉｃａｌ  Ｉｍａｇｅ  Ｓｔａｂｉｌｉｚｅｒ、ＯＩＳ）部５４、ジャイロセンサー５６などを含むことができる。駆動回路５２は８個の個別電極のそれぞれに伝達される８個の個別駆動電圧を生成することができる。駆動回路５２は、電源電圧を用いて８個の個別駆動電圧のレベルを決定するために、オプティカルイメージスタビライゼーション部５４などから個別駆動電圧のレベルを決定するための調整変数を伝達されることができる。
【００９２】
例えば、駆動回路５２で生成される少なくとも８個の個別電極に印加される前記駆動電圧の総和はカメラモジュールの自動焦点（Ａｕｔｏ  Ｆｏｃｕｓ、ＡＦ）機能によって決定され、駆動電圧を区分した個別駆動電圧の偏差はカメラモジュールのオプティカルイメージスタビライゼーション（ＯＩＳ）機能によって決定できる。
【００９３】
例えば、カメラモジュールに含まれたジャイロセンサー５６からカメラモジュールの動きについての情報を獲得することができる。カメラモジュールの動きについての情報はオプティカルイメージスタビライゼーション部５４に伝達され、オプティカルイメージスタビライゼーション部５４はカメラモジュールの動きを補償するためにレンズを調整する値を演算することができる。オプティカルイメージスタビライゼーション部５４が演算する補償値は液体レンズ２８内の２種の液体が形成する界面３０の傾斜率や曲率を調整することにより、液体レンズ２８を通過した光信号が結ぶ像が特定の方向に移動するようにするものである。このような動作制御は液体レンズ２８内の界面３０が個別電極に印加される電圧レベルに対応して曲率が変わることができるので可能である。
【００９４】
また、駆動回路５２は液体レンズ２８に対するレンズキャリブレーション（Ｌｅｎｓ  Ｃａｌｉｂｒａｔｉｏｎ）によって決定されたデータを反映して８個の個別駆動電圧を決定することができる。液体レンズ２８は製造過程での工程誤差などの理由で微細な特性差を有することができ、このような差はレンズキャリブレーション（Ｌｅｎｓ  Ｃａｌｉｂｒａｔｉｏｎ）によってデータ化することができ、これをレンズの制御に使うことができる。
【００９５】
図１３は液体レンズ及び駆動回路の連結手段を説明する。
【００９６】
図示のように、液体レンズと駆動回路（例えば、制御回路）を連結する連結手段は、フレキシブルプリント回路基板（ＦＰＣＢ）を用いて個別駆動電圧をそれぞれの個別電極に供給するための第１連結部４２と、フレキシブルプリント回路基板（ＦＰＣＢ）を用いて共通電圧を供給するための第２連結部４４とを含むことができる。
【００９７】
一方、第１連結部４２は８個の個別電極Ｌ１、Ｌ２、Ｌ３、Ｌ４、Ｘ１、Ｘ２、Ｘ３、Ｘ４と電気的に連結できる。一方、第２連結部４４は共通電圧（例えば、グラウンド電圧、０Ｖ、共通ＤＣ、共通ＡＣ）を印加するためのもので、第１連結部４２と対応する構造を有することができる。ただ、第２連結部４４は連結される全ての電極に同じ共通電圧を印加することができる。
【００９８】
具体的には、第１連結部４２は制御回路又は駆動回路から伝達される８個の個別駆動電圧を８個の個別電極に伝達することができる。液体レンズに含まれた８個の個別電極Ｌ１、Ｌ２、Ｌ３、Ｌ４、Ｘ１、Ｘ２、Ｘ３、Ｘ４は液体レンズの界面３０を中心に同じ角距離に位置することができる。
【００９９】
実施例によって、液体レンズが８個より多い個別電極を有することもできる。ただ、個別電極の数は４の倍数であってもよい。以下では、説明の便宜のために、液体レンズが８個の個別電極、すなわち二つのサブグループを含む場合を例として説明する。
【０１００】
図１４は液体レンズの電極配置とオプティカルイメージスタビライゼーション（ＯＩＳ）動作の方向を説明する。
【０１０１】
図示のように、８個の個別電極Ｌ１、Ｌ２、Ｌ３、Ｌ４、Ｘ１、Ｘ２、Ｘ３、Ｘ４を含む液体レンズの界面３０Ａを供給電圧の変化によって左側又は右上側に移動させることができる。ここで、液体レンズの界面３０Ａは物理的に左側に移動させるか右上側に移動させて新しい位置３０Ｂ、３０Ｃに形成されるものではなく、界面３０Ａ、３０Ｂ、３０Ｃの曲率の変化によって、界面３０Ａ、３０Ｂ、３０Ｃを通過した像が結ぶ位置が移動することができることを意味する。
【０１０２】
図１５ａ及び図１５ｂはオプティカルイメージスタビライゼーション（ＯＩＳ）動作の例を説明する。具体的には、図１５ａは液体レンズを通過した像を左側に移動させるために液体レンズ２８に印加される個別駆動電圧を説明し、図１５ｂは液体レンズを通過した像を右上側の斜線方向に移動させるために液体レンズ２８に印加される個別駆動電圧を説明する。
【０１０３】
図１５ａを参照すると、８個の個別電極Ｌ１、Ｌ２、Ｌ３、Ｌ４、Ｘ１、Ｘ２、Ｘ３、Ｘ４のいずれにも同じ５０Ｖの駆動電圧を供給すれば、界面３０Ａ（図８参照）は中央に位置することができる。その後、オプティカルイメージスタビライゼーション（ＯＩＳ）動作のために（すなわち、カメラモジュールの傾き、手ぶれなどによってレンズの位置調整が必要な場合、例えば、界面を通過した像が結ぶ位置３０Ａが左側の位置３０Ｂ（図８参照）に移動する場合）、８個の個別電極Ｌ１、Ｌ２、Ｌ３、Ｌ４、Ｘ１、Ｘ２、Ｘ３、Ｘ４に相異なるレベルの個別供給電圧を印加することができる。例えば、左側方向への移動のために第１及び第２個別電極Ｌ１、Ｌ２には５０Ｖの駆動電圧を６０Ｖの駆動電圧に高め、第３及び第４個別電極Ｌ３、Ｌ４には５０Ｖの駆動電圧を４０Ｖの駆動電圧に低めることができる。また、第５個別電極Ｘ１は５０Ｖの駆動電圧を７０Ｖの駆動電圧に高め、界面３０を中心に第５個別電極Ｘ１の反対側に位置する第７個別電極Ｘ３は５０Ｖの駆動電圧は３０Ｖの駆動電圧に低めることができる。第６及び第８個別電極Ｘ２、Ｘ４は５０Ｖの駆動電圧がそのまま維持されることができる。この場合、実際界面３０（図５参照）の曲率の変化が発生して界面３０Ｂを通過した像が結ぶ位置が左側に移動することができる。
【０１０４】
ここで、液体レンズ２８の８個の個別電極Ｌ１、Ｌ２、Ｌ３、Ｌ４、Ｘ１、Ｘ２、Ｘ３、Ｘ４に伝達される８個の個別駆動電圧は５種の相異なるレベルを有することができ、最大の個別駆動電圧と最小の個別駆動電圧は界面３０を中心に反対方向から印加できる。一方、最大の個別駆動電圧と最小の個別駆動電圧を基準に両側に位置する個別電極には同じ大きさの個別駆動電圧が対称的に印加できる。
【０１０５】
図１５ｂを参照すると、液体レンズの中心に位置する界面３０Ａ（より正確に、界面３０Ａを通過した像が結ぶ位置）を斜線方向に移動させようとする場合、液体レンズ２８に含まれた８個の個別電極Ｌ１、Ｌ２、Ｌ３、Ｌ４、Ｘ１、Ｘ２、Ｘ３、Ｘ４に個別供給電圧を印加することができる。
【０１０６】
例えば、斜線方向に移動した界面３０Ｃ（図１４参照）を具現するためには、８個の個別電極Ｌ１、Ｌ２、Ｌ３、Ｌ４、Ｘ１、Ｘ２、Ｘ３、Ｘ４に印加される個別駆動電圧が調整される必要がある。例えば、第１及び第３個別電極Ｌ１、Ｌ３に印加可能な個別駆動電圧は５０Ｖでそのまま維持されるが、第２及び第４個別電極Ｌ２、Ｌ４に印加可能な個別駆動電圧は３０Ｖ及び７０Ｖに調整されることができる。また、第５及び第６個別電極Ｘ１、Ｘ２は５０Ｖから４０Ｖに低くなることができ、第７及び第８個別電極Ｘ３、Ｘ４は５０Ｖから６０Ｖに高くなることができる。
【０１０７】
図１４及び図１５を参照すると、液体レンズに含まれた複数のサブグループの一つに個別駆動電圧が印加されれば、左右上下の方向だけではなく斜線方向に界面を移動させることができる。より具体的には、左右上下の方向に界面を移動させようとする場合、制御回路又は駆動回路で生成される個別駆動電圧は２種の相異なるレベルを有することができる（例えば、図８の４０Ｖ、６０Ｖ）。一方、斜線方向に界面を移動させようとする場合、制御回路又は駆動回路で生成される個別駆動電圧は３種の相異なるレベルを有することができる（例えば、図９の３０Ｖ、５０Ｖ、７０Ｖ）。
【０１０８】
前述したように、制御回路又は駆動回路で生成される個別駆動電圧のレベルをどのように変更するかによって液体レンズ２８の界面３０に変化が発生することができる。具体的には、８個の個別電極Ｌ１、Ｌ２、Ｌ３、Ｌ４、Ｘ１、Ｘ２、Ｘ３、Ｘ４に印加される８個の個別駆動電圧は同一であってもよく、２個、３個、又は５個などの相異なるレベルを有してもよい。また、８個の個別電極Ｌ１、Ｌ２、Ｌ３、Ｌ４、Ｘ１、Ｘ２、Ｘ３、Ｘ４に印加される個別駆動電圧は界面３０を中心に対称性を有するように印加されることが界面３０の曲率をより安定的に維持するのに役立つことができる。
【０１０９】
一方、実施例によって、制御回路又は駆動回路と液体レンズの個別電極を連結する連結手段に、前述した個別駆動電圧を変更するか個別駆動電圧が印加される電極を決定するための回路又はロジックを含ませることができる。
【０１１０】
前述した液体レンズを含むカメラモジュールを含む光学機器（Ｏｐｔｉｃａｌ  Ｄｅｖｉｃｅ、Ｏｐｔｉｃａｌ  Ｉｎｓｔｒｕｍｅｎｔ）を具現することができる。ここで、光学機器は光信号を加工するか分析することができる装置を含むことができる。光学機器の例としては、カメラ／ビデオ装置、望遠鏡装置、顕微鏡装置、干渉計装置、光度計装置、偏光計装置、分光計装置、反射計装置、オートコリメーター装置、レンズメーター装置などがあり得、液体レンズを含むことができる光学機器に本発明の実施例を適用することができる。また、光学機器は、スマートフォン、ノートブック型パソコン、タブレットコンピュータなどの携帯用装置に具現されることができる。このような光学機器は、カメラモジュール、映像を出力するディスプレイ部、カメラモジュール及びディスプレイ部を実装する本体ハウジングを含むことができる。光学機器は、本体ハウジングに他の機器と通信することができる通信モジュールが実装されることができ、データを記憶することができるメモリ部をさらに含むことができる。
【０１１１】
上述した実施例による方法はコンピュータで実行されるためのプログラムに製作されてコンピュータ可読の記録媒体に記録されることができ、コンピュータ可読の記録媒体の例としては、ＲＯＭ、ＲＡＭ、ＣＤ−ＲＯＭ、磁気テープ、フロッピーディスク、光データ記憶装置などが含まれる。
【０１１２】
コンピュータ可読の記録媒体はネットワークで連結されたコンピュータシステムに分散され、分散方式でコンピュータが読めるコードが記憶されて実行されることができる。そして、上述した方法を具現するための機能的な（ｆｕｎｃｔｉｏｎ）プログラム、コード及びコードセグメントは実施例が属する技術分野のプログラマーによって容易に推論可能である。
【０１１３】
実施例に関連して、前述したように幾つかのみを記述したが、その外にも多様な形態の実施が可能である。前述した実施例の技術的内容は互いに両立することができない技術ではない限り、多様な形態に組み合わせられることができ、これによって新しい実施形態に具現されることもできる。
【０１１４】
本発明は本発明の精神及び必須特徴から逸脱しない範囲で他の特定の形態に具体化することができることは当業者に明らかである。したがって、前記詳細な説明は全ての面で制限的に解釈されてはならず、例示的なものとして考慮されなければならない。本発明の範囲は添付の請求項の合理的解釈によって決定されなければならず、本発明の等価的範囲内の全ての変更は本発明の範囲に含まれる。
【図１】
0006877582.tif 000002
【図２】
0006877582.tif 000003
【図３ａ】
0006877582.tif 000004
【図３ｂ】
0006877582.tif 000005
【図４】
0006877582.tif 000006
【図５】
0006877582.tif 000007
【図６】
0006877582.tif 000008
【図７】
0006877582.tif 000009
【図８】
0006877582.tif 000010
【図９】
0006877582.tif 000011
【図１０】
0006877582.tif 000012
【図１１】
0006877582.tif 000013
【図１２】
0006877582.tif 000014
【図１３】
0006877582.tif 000015
【図１４】
0006877582.tif 000016
【図１５ａ】
0006877582.tif 000017
【図１５ｂ】
0006877582.tif 000018